【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
台座部と、映像を投射する映像投射機構部と、前記台座部の上面に設けられ、前記映像投射機構部を水平方向に関して方向調整可能に支持する支持機構部とを備えることを特徴とするプロジェクタ。
【請求項２】
前記支持機構部は、前記映像投射機構部を水平方向に関して回転可能に支持する回転機構部を備えることを特徴とする請求項１記載のプロジェクタ。
【請求項３】
台座部と、映像を投射する映像投射機構部と、前記台座部の上面に設けられ、前記映像投射機構部を垂直方向に関して方向調整可能に支持する支持機構部とを備えることを特徴とするプロジェクタ。
【請求項４】
前記支持機構部は、前記映像投射機構部を垂直方向に関して回転可能に支持する傾斜機構部を備えることを特徴とする請求項３記載のプロジェクタ。
【請求項５】
台座部と、映像を投射する映像投射機構部と、前記台座部の上面に設けられ、前記映像投射機構部を水平方向及び垂直方向に関して方向調整可能に支持する支持機構部とを備えることを特徴とするプロジェクタ。
【請求項６】
前記支持機構部は、前記映像投射機構部を水平方向に関して回転可能に支持する回転機構部と、前記映像投射機構部を垂直方向に関して回転可能に支持する傾斜機構部とを備えることを特徴とする請求項５記載のプロジェクタ。
【請求項７】
前記回転機構部の水平方向に関する基準位置からの変位角度を検出する変位角度検出手段と、前記変位角度検出手段により検出された変位角度に応じて、前記映像データに対して前記映像データに基づいて前記映像を投射したときに生じると見込まれる前記映像の水平方向に関する歪みに対する補正を行う水平方向映像補正部とを備えることを特徴とする請求項２又は請求項６に記載のプロジェクタ。
【請求項８】
前記水平方向に関する基準位置の設定を行う水平方向基準位置設定手段を備えることを特徴とする請求項７記載のプロジェクタ。
【請求項９】
前記映像の歪み補正は、前記映像の台形状の歪みに対する補正であって、前記水平方向映像補正部は、前記変位角度が予め設定された所定変位角度となった場合に、前記映像に対応する映像データを台形補正する際の補正度合いを台形の上底と下底とで反転させる処理を行うことを特徴とする請求項７又は請求項８に記載のプロジェクタ。
【請求項１０】
前記所定変位角度を任意に設定することが可能な所定変位角度設定手段を備えることを特徴とする請求項９記載のプロジェクタ。
【請求項１１】
前記傾斜機構部の垂直方向に関する基準位置からの傾斜角度を検出する傾斜角度検出手段と、前記傾斜角度検出手段により検出された傾斜角度に応じて、前記映像データに対して前記映像データに基づいて前記映像を投射したときに生じると見込まれる前記映像の垂直方向に関する歪みに対する補正を行う垂直方向映像補正部とを備えることを特徴とする請求項４又は請求項６に記載のプロジェクタ。
【請求項１２】
前記垂直方向に関する基準位置の設定を行う垂直方向基準位置設定手段を備えることを特徴とする請求項１１記載のプロジェクタ。
【請求項１３】
前記映像の歪み補正は、前記映像の台形状の歪に対する補正であって、前記垂直方向映像補正部は、前記傾斜角度が予め設定された所定傾斜角度となった場合に、前記映像に対応する映像データを台形補正する際の補正度合いを台形の上底と下底とで反転させることを特徴とする請求項１１又は請求項１２に記載のプロジェクタ。
【請求項１４】
前記所定傾斜角度を任意に設定することが可能な所定傾斜角度設定手段を備えることを特徴とする請求項１３記載のプロジェクタ。
【請求項１５】
前記台座部は、当該装置の投射面に対する水平方向に関する位置を規定するための目印を有することを特徴とする請求項１、請求項３又は請求項５に記載のプロジェクタ。
【手続補正２】
【補正対象書類名】明細書
【補正対象項目名】００２２
【補正方法】変更
【補正の内容】
【００２２】
【課題を解決するための手段】
上記課題を解決するために、本発明の一つの態様に係るプロジェクタは、台座部と、映像を投射する映像投射機構部と、前記台座部の上面に設けられ、前記映像投射機構部を水平方向に関して方向調整可能に支持する支持機構部とを備えることを特徴としている。
【手続補正３】
【補正対象書類名】明細書
【補正対象項目名】００２３
【補正方法】変更
【補正の内容】
【００２３】
上記課題を解決するために、本発明の別の態様に係るプロジェクタは、前記支持機構部は、前記映像投射機構部を水平方向に関して回転可能に支持する回転機構部を備えることを特徴としている。
【手続補正４】
【補正対象書類名】明細書
【補正対象項目名】００２４
【補正方法】変更
【補正の内容】
【００２４】
上記課題を解決するために、本発明の別の態様に係るプロジェクタは、台座部と、映像を投射する映像投射機構部と、前記台座部の上面に設けられ、前記映像投射機構部を垂直方向に関して方向調整可能に支持する支持機構部とを備えることを特徴としている。
【手続補正５】
【補正対象書類名】明細書
【補正対象項目名】００２５
【補正方法】変更
【補正の内容】
【００２５】
上記課題を解決するために、本発明の別の態様に係るプロジェクタは、前記支持機構部は、前記映像投射機構部を垂直方向に関して回転可能に支持する傾斜機構部を備えることを特徴としている。
【手続補正６】
【補正対象書類名】明細書
【補正対象項目名】００２６
【補正方法】変更
【補正の内容】
【００２６】
上記課題を解決するために、本発明の別の態様に係るプロジェクタは、台座部と、映像を投射する映像投射機構部と、前記台座部の上面に設けられ、前記映像投射機構部を水平方向及び垂直方向に関して方向調整可能に支持する支持機構部とを備えることを特徴としている。
【手続補正７】
【補正対象書類名】明細書
【補正対象項目名】００２７
【補正方法】変更
【補正の内容】
【００２７】
上記課題を解決するために、本発明の別の態様に係るプロジェクタは、前記支持機構部は、前記映像投射機構部を水平方向に関して回転可能に支持する回転機構部と、前記映像投射機構部を垂直方向に関して回転可能に支持する傾斜機構部とを備えることを特徴としている。
【手続補正８】
【補正対象書類名】明細書
【補正対象項目名】００２８
【補正方法】変更
【補正の内容】
【００２８】
上記課題を解決するために、本発明の別の態様に係るプロジェクタは、前記回転機構部の水平方向に関する基準位置からの変位角度を検出する変位角度検出手段と、前記変位角度検出手段により検出された変位角度に応じて、前記映像データに対して前記映像データに基づいて前記映像を投射したときに生じると見込まれる前記映像の水平方向に関する歪みに対する補正を行う水平方向映像補正部とを備えることを特徴としている。
【手続補正９】
【補正対象書類名】明細書
【補正対象項目名】００２９
【補正方法】変更
【補正の内容】
【００２９】
上記課題を解決するために、本発明の別の態様に係るプロジェクタは、前記水平方向に関する基準位置の設定を行う水平方向基準位置設定手段を備えることを特徴としている。
【手続補正１０】
【補正対象書類名】明細書
【補正対象項目名】００３０
【補正方法】変更
【補正の内容】
【００３０】
上記課題を解決するために、本発明の別の態様に係るプロジェクタは、前記映像の歪み補正は、前記映像の台形状の歪みに対する補正であって、前記水平方向映像補正部は、前記変位角度が予め設定された所定変位角度となった場合に、前記映像に対応する映像データを台形補正する際の補正度合いを台形の上底と下底とで反転させる処理を行うことを特徴としている。
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】変更
【補正の内容】
【００３２】
上記課題を解決するために、本発明の別の態様に係るプロジェクタは、前記回転機構部は、前記基準位置から３６０度までの範囲内で回転が可能に構成されていることを特徴としている。
【手続補正１３】
【補正対象書類名】明細書
【補正対象項目名】００３３
【補正方法】変更
【補正の内容】
【００３３】
上記課題を解決するために、本発明の別の態様に係るプロジェクタは、前記傾斜機構部の垂直方向に関する基準位置からの傾斜角度を検出する傾斜角度検出手段と、前記傾斜角度検出手段により検出された傾斜角度に応じて、前記映像データに対して前記映像データに基づいて前記映像を投射したときに生じると見込まれる前記映像の垂直方向に関する歪みに対する補正を行う垂直方向映像補正部とを備えることを特徴としている。
【手続補正１４】
【補正対象書類名】明細書
【補正対象項目名】００３４
【補正方法】変更
【補正の内容】
【００３４】
上記課題を解決するために、本発明の別の態様に係るプロジェクタは、前記垂直方向に関する基準位置の設定を行う垂直方向基準位置設定手段を備える
ことを特徴としている。
【手続補正１５】
【補正対象書類名】明細書
【補正対象項目名】００３５
【補正方法】変更
【補正の内容】
【００３５】
上記課題を解決するために、本発明の別の態様に係るプロジェクタは、前記映像の歪み補正は、前記映像の台形状の歪に対する補正であって、前記垂直方向映像補正部は、前記傾斜角度が予め設定された所定傾斜角度となった場合に、前記映像に対応する映像データを台形補正する際の補正度合いを台形の上底と下底とで反転させることを特徴としている。
【手続補正１６】
【補正対象書類名】明細書
【補正対象項目名】００３６
【補正方法】変更
【補正の内容】
【００３６】
上記課題を解決するために、本発明の別の態様に係るプロジェクタは、前記所定傾斜角度を任意に設定することが可能な所定傾斜角度設定手段を備えることを特徴としている。
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】変更
【補正の内容】
【００３８】
上記課題を解決するために、本発明の別の態様に係るプロジェクタは、前記台座部は、当該装置の投射面に対する水平方向に関する位置を規定するための目印を有することを特徴としている。
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】